(57)【要約】【課題】利用者の上半身を起こすために湾曲させるとき、その湾曲を円滑に行なうことができるマットレス装置を提供することにある。【解決手段】第１の内装体３８および第１の内装体を内部に収容した第１の外装体３５を有する下部マットレス３２と、第２の内装体及び第２の内装体を内部に収容した第２の外装体を４２有し、下部マットレスの上面に重合される上部マットレス３３と、下部マットレスの上面と上部マットレスの下面との長手方向の中途部を連結し、下部マットレスと上部マットレスの重合体が湾曲されるときに、上部マットレスが下部マットレスに対してずれ動くのを阻止する第１、第２の面状ファスナを具備する。【選択図】      図１
2014097281.tif 000002
【特許請求の範囲】
【請求項１】
上面に利用者が頭部を長手方向の一端部側に位置させ、足部を他端部側に位置させて仰臥するマットレス装置であって、
内装体およびこの内装体を内部に収容した外装体を有して上下方向に重合される複数のマットレスと、
重合された複数のマットレスの互いに接触する上面と下面との長手方向の中途部から上記利用者の足部に対応する他端部の範囲のうちの少なくとも一部を連結し、重合された複数のマットレスが湾曲されたときに、上側に位置する上記マットレスの上記連結された部分から一端部側の部分が上記連結部を基端として下側に位置するマットレスに対し上記長手方向にずれ動くようにした連結手段と
を具備したことを特徴とするマットレス装置。
【請求項２】
上面に利用者が頭部を長手方向の一端部側に位置させ、足部を他端部側に位置させて仰臥するマットレス装置であって、
第１の内装体およびこの第１の内装体を内部に収容した第１の外装体を有する下部マットレスと、
第２の内装体及びこの第２の内装体を内部に収容した第２の外装体を有し、上記下部マットレスの上面に重合される上部マットレスと、
上記下部マットレスの上面と上記上部マットレスの下面との長手方向の中途部から上記利用者の足部に対応する他端部の範囲のうちの少なくとも一部を連結し、上記下部マットレスと上記上部マットレスの重合体が湾曲されたときに、上記上部マットレスの上記連結された部分から一端部側の部分が上記連結部を基端として上記下部マットレスに対し上記長手方向にずれ動くようにした連結手段と
を具備したことを特徴とするマットレス装置。
【請求項３】
重合された複数のマットレスのうちの、下側に位置するマットレスの上面と、この上面に接触する上側に位置するマットレスの下面の少なくともどちらか一方の面の少なくとも一部には、複数の上記マットレスが湾曲されて下側のマットレスに対して上側のマットレスが上記連結部を基端としてずれ動くときに、下側のマットレスの上面と上側のマットレスの下面を滑動させる滑沢性シートが設けられていることを特徴とする請求項１又は請求項２記載のマットレス装置。
【請求項４】
上記連結手段は、下側に位置するマットレスの外装体の上面と、上側に位置するマットレスの外装体の下面とに設けられて互いに係脱する面状ファスナであることを特徴とする請求項１又は請求項２記載のマットレス装置。
【請求項５】
上記下部マットレスの第１の内装体は複数の層状部材に分割されていて、これら層状部材は上記下部マットレスが湾曲させられたときに互いに滑動するよう構成されていることを特徴とする請求項２記載のマットレス装置。
【請求項６】
上記上部マットレスの第２の内装体は、平面形状が矩形状の発泡弾性材によって形成されていて、上記第２の内装体の幅方向の両端部分は他の部分よりも硬質の発泡弾性材によって形成されていることを特徴とする請求項２記載のマットレス装置。
【請求項７】
上記第２の内装体は平面形状が矩形状の発泡弾性材によって形成されていて、この第２の内装体の長手方向中央部分は複数の帯状部に分断されていて、各帯状部の上面は柔軟性を有するシートによって上記第２の内装体を形成する上記発泡弾性材の他の部分の上面に一体的に連結されていることを特徴とする請求項２記載のマットレス装置。
【請求項８】
上記連結手段は、下側に位置するマットレスの外装体の上面と、上側に位置するマットレスの外装体の下面との長手方向の中途部に設けられていることを特徴とする請求項１又は請求項２記載のマットレス装置。
【請求項９】
上記連結手段は、下側に位置するマットレスの外装体の上面と、上側に位置するマットレスの外装体の下面との長手方向の他端部に設けられていることを特徴とする請求項１又は請求項２記載のマットレス装置。
【請求項１０】
利用者の上半身を起こすための起床式ベッド装置であって、
ベッドフレームと、
複数の床部に分割されるとともに互いに回動可能に連結されて上記ベッドフレームに設けられた床板体と、
この床板体の床部を起伏駆動する駆動手段と、
上記床板体上に設けられるマットレス装置を具備し、
上記マットレス装置は請求項１又は請求項２に記載された構成であることを特徴とするベッド装置。
【発明の詳細な説明】
【技術分野】
【０００１】
この発明は上面に利用者が仰臥して用いるマットレス装置及びそのマットレス装置を用いた起床式ベッド装置に関する。
【背景技術】
【０００２】
体力が低下した老人や病人に使用されるベッド装置においては、利用者が食事をする場合などに上半身を起こすのを支援するために、いわゆる起床式ベッド装置が用いられることがある。
【０００３】
上記起床式ベッド装置はベッドフレームの上面に設けられる床板を、上記ベッドフレームの長手方向に対して複数に分割し、そのうちの利用者の上半身に対応する部分の床部である、背床部を駆動機構によって起伏駆動できるようにしている。
【０００４】
したがって、上記背床部を起立方向に駆動すれば、上記床板体上にマットレスを介して仰臥した利用者はほとんど体力を使うことなく上半身を起こすことができる。
【０００５】
上記床板体はベッドフレームに固定して設けられる固定床部を有し、上記背床部は上記固定床部に対して回動可能に連結されている。したがって、利用者が上半身を起こすために上記背床部を駆動機構によって起立方向に駆動すると、この背床部は上記固定床部に連結された一端部を支点として起立方向に回動上昇するようになる。
【０００６】
上記背床部を起上方向に回動上昇させると、床板体上に載置されたマットレスは利用者の背面を押圧しながら上方に向かって湾曲される。上記マットレスは所定の厚さを有するため、上記背床部の起上にともなって湾曲したとき、湾曲の内側となるマットレスの上面側には長手方向の両端部から内方である、長手方向の中途部に向かう圧縮力が生じ、湾曲の外側となる下面側では長手方向の中途部から両端部に向かう引張力が発生する。
【０００７】
そのため、マットレスの上面によって押圧されながら上半身が起こされる利用者の背面には、上記マットレスの上面で発生した圧縮力が作用することになるため、その圧縮力によって背中が下方へ押圧されると同時に、臀部が後方である、湾曲の内側へ引き込まれるから、利用者の身体の、とくに腹部が圧迫されるということがあった。
【０００８】
そこで、従来はマットレスの袋状に縫製された外装体内に収容されるクッション材などの内装体を、マットレスの湾曲に応じて伸縮する材料によって上面側に位置する第１の層状部材と、この第１の層状部材の下面側に位置する第２の層状部材とに分割するとともに、上記第１の層状部材と第２の層状部材は、上記内装体を湾曲させたときに互いに滑動する構成としている。
【０００９】
それによって、上記マットレスを湾曲させたとき、マットレスの内装体の第１の層状部材と第２の層状部材は、上記内装体の全体の厚さに比べて薄い状態で、互いに滑動しながら別々に湾曲する。
【００１０】
したがって、背床部を起上方向に駆動して利用者が上半身を起こすとき、上側に位置する第１の層状部材が第２の層状部材に対して滑動しながら湾曲することで、マットレスを湾曲させたときに生じる利用者の背面に加わる圧縮力を、上記第１の層状部材の厚さに応じて小さくし、利用者に与える不快感を低減させるようにしている。
【先行技術文献】
【特許文献】
【００１１】
【特許文献１】特許第３５２５０２７号公報
【発明の概要】
【発明が解決しようとする課題】
【００１２】
ところで、従来のマットレスは１つの外装体の内部に、内装体を構成する第１の層状部材と第２の層状部材を積層して収容している。上記第１の層状部材と第２の層状部材は上記外装体内に滑動するよう収容されている。
【００１３】
しかしながら、利用者が上半身を起こすために背床部を起上方向に駆動して上記マットレスが上面側に湾曲させられるとき、上記第１の層状部材と上記第２の層状部材の、湾曲にともなう滑動が、これら第１、第２の層状部材を収容した上記外装体によって妨げられるということがある。
【００１４】
とくに、湾曲時にマットレスの上面側に発生する圧縮力を低減するため、上記第１の層状部材を内装体全体の厚さに比べて薄くするだけでなく、マットレス上に仰臥する利用者に与える感触を向上させるため、上記第１の層状部材を比較的軟質の材料によって形成するようにしている。
【００１５】
そのため、上記外装体を伸縮性の布地で形成しても、上記第１の層状部材が薄いこと、及び柔らかいことによって、湾曲時に上記第２の層状部材に対する上記第１の層状部材の滑動が上記外装体によって妨げられ易いということもあった。
【００１６】
上記第１の層状部材の滑動が妨げられると、湾曲時に生じる圧縮力が上記第１の層状部材に残留し易くなるから、それによって利用者の背面に圧縮力が加わり、その圧縮力による圧迫感によって利用者に不快感を与えるということになる。
【００１７】
この発明は、利用者の上半身を起こすために湾曲させたとき、厚さ方向に分割された利用者の背面に接触する上側のマットレスが下側のマットレスに対して円滑に滑動できるようにすることで、利用者の背面に圧迫感を与えることがないようにしたマットレス装置及びそのマットレス装置が用いられた起床式ベッド装置を提供することにある。
【課題を解決するための手段】
【００１８】
この発明は、上面に利用者が頭部を長手方向の一端部側に位置させ、足部を他端部側に位置させて仰臥するマットレス装置であって、
内装体およびこの内装体を内部に収容した外装体を有して上下方向に重合される複数のマットレスと、
重合された複数のマットレスの互いに接触する上面と下面との長手方向の中途部から上記利用者の足部に対応する他端部の範囲のうちの少なくとも一部を連結し、重合された複数のマットレスが湾曲されたときに、上側に位置する上記マットレスの上記連結された部分から一端部側の部分が上記連結部を基端として下側に位置するマットレスに対し上記長手方向にずれ動くようにした連結手段と
を具備したことを特徴とするマットレス装置にある。
【００１９】
この発明は、上面に利用者が頭部を長手方向の一端部側に位置させ、足部を他端部側に位置させて仰臥するマットレス装置であって、
第１の内装体およびこの第１の内装体を内部に収容した第１の外装体を有する下部マットレスと、
第２の内装体及びこの第２の内装体を内部に収容した第２の外装体を有し、上記下部マットレスの上面に重合される上部マットレスと、
上記下部マットレスの上面と上記上部マットレスの下面との長手方向の中途部から上記利用者の足部に対応する他端部の範囲のうちの少なくとも一部を連結し、上記下部マットレスと上記上部マットレスの重合体が湾曲されたときに、上記上部マットレスの上記連結された部分から一端部側の部分が上記連結部を基端として上記下部マットレスに対し上記長手方向にずれ動くようにした連結手段と
を具備したことを特徴とするマットレス装置にある。
【００２０】
この発明は、利用者の上半身を起こすための起床式ベッド装置であって、
ベッドフレームと、
複数の床部に分割されるとともに互いに回動可能に連結されて上記ベッドフレームに設けられた床板体と、
この床板体の床部を起伏駆動する駆動手段と、
上記床板体上に設けられるマットレス装置を具備し、
上記マットレス装置は請求項１又は請求項２に記載された構成であることを特徴とするマットレス装置にある。
【発明の効果】
【００２１】
この発明によれば、重合された複数のマットレスを湾曲させたとき、上側に位置するマットレスは下側に位置するマットレスに対し、下側に位置するマットレスに連結された部分から一端側の部分が連結手段によって連結された部分を基端として長手方向にずれ動くことになる。
【００２２】
そのため、上側に位置するマットレスは下側に位置するマットレスに対して確実に、しかも円滑に滑動することになる。
【００２３】
つまり、湾曲時に上側のマットレスは下側のマットレスに対して滑動しながら湾曲するから、上側のマットレスが利用者の背面を圧迫して不快感を与えるのが防止される。
【００２４】
しかも、下側のマットレスと上側のマットレスは長手方向の中途部から利用者の足部に対応する他端部の範囲のうちの少なくとも一部が連結されているため、湾曲を繰り返し行なっても、下側のマットレスに対して上側のマットレスが位置ずれするのを防止することができる。
【図面の簡単な説明】
【００２５】
【図１】この発明の一実施の形態を示す起床式ベッド装置の正面図。
【図２】マットレス装置の下部マットレスを示す平面図。
【図３】下部マットレスの正面図。
【図４】下部マットレスの一部を拡大した断面図。
【図５】マットレス装置の上部マットレスを示す平面図。
【図６】上部マットレスの正面図。
【図７】上部マットレスの一部を拡大した断面図。
【図８】上部マットレスの第２の内装体を示す平面図。
【図９】第２の内装体の長手方向から見た側面図。
【図１０】第２の内装体の長手方向中央部分に設けられた複数の帯状部を示す断面図。
【図１１】この発明の第２の実施の形態を示すマットレス装置の側面図。
【図１２】図１１に示すマットレス装置を湾曲させたときの側面図。
【図１３】この発明の第３の実施の形態を示すマットレス装置の側面図。
【発明を実施するための形態】
【００２６】
以下、この発明の実施の形態を図面を参照しながら説明する。
【００２７】
図１乃至図１０はこの発明の第１の実施の形態を示し、図１に示す起床式ベッド装置１はベース２を備えている。このベース２は矩形枠状に形成されていて、その下面四隅部にはストッパ付きのキャスタ３が設けられている。
【００２８】
上記ベース２の上面にはベッドフレーム４が設けられている。このベッドフレーム４の長手方向一端側にはヘッドボード５ａが立設され、他端にはフットボード５ｂが立設されている。
【００２９】
上記ベッドフレーム４の上面側には床板体６が設けられている。この床板体６はベッドフレーム４の長手方向に沿って５つに分割され、その中央は上記ベッドフレーム４に固定された固定床部７となっている。
【００３０】
上記固定床部７のヘッドボード５ａ側には腰床部８と背床部９とが順次回動可能に連結されている。上記固定床部７のフットボード５ｂ側には第１の脚床部１１と第２の脚床部１２とが順次回動自在に連結されている。
【００３１】
上記ベッドフレーム４には駆動装置１３が設けられている。この駆動装置１３はケース１４を有し、このケース１４の一側には駆動モータ１５が設けられている。上記ケース１４４の上記ヘッドボード５ａ側の一端部には第１の駆動軸１６が設けられ、上記フットボード５ｂ側の他端部には第２の駆動軸１７が設けられている。上記第１の駆動軸１６と第２の駆動軸１７は上記駆動モータ１５が作動することで、図中矢印で示す方向に回動されるようになっている。
【００３２】
上記第１の駆動軸１６には第１のアーム１８の一端が連結され、上記第２の駆動軸１７には第２のアーム１９の一端が連結されている。上記第１のアーム１８の他端には一対の第１のローラ２１が回転可能に設けられ、これら第１のローラ２１は上記背床部９の背面に設けられた断面がコ字状のガイド部材２２に転動可能に係合している。上記第２のアーム１９の他端部には第２のローラ２３が回転可能に設けられ、この第２のローラ２３は上記第１の脚床部１１の下面に接触するようになっている。
【００３３】
上記駆動モータ１５の作動により、上記第１のアーム１８が起立方向に駆動されると、上記背床部９が上記第１のローラ２１によって押圧されて起上方向に回動する。それと同時に、上記背床部９の回動に上記腰床部８が連動するようになっている。
【００３４】
上記駆動モータ１５の差同意より、上記第２のアーム１９が起立方向に駆動されると、上記第２のローラ２３によって上記第１の脚床部１１が上記固定床部７との連結端を支点として上昇方向に回動する。上記第１の脚床部１１の上昇に上記第２の脚床部１２が連動するから、これら第１、第２の脚床部１１，１２がほぼへの字状に屈曲することになる。
【００３５】
上記床板体６の上面にはマットレス装置３１が載置される。このマットレス装置３１は上記床板体６の各床部が起伏駆動されることで、その起伏駆動に応じて湾曲されるようになっていて、その湾曲時に湾曲の内側となる上面に生じる圧縮力が低減される構造となっている。
【００３６】
すなわち、上記マットレス装置３１は上記床板体６の上面に載置された複数のマットレス、この実施の形態では下部マットレス３２と、この下部マットレス３２の上面に載置された上部マットレス３３との２つに分割されている。
【００３７】
図２に示すように、上記下部マットレス３２は上記床板体６の平面形状とほぼ同じ大きさの平面形状を有する矩形の袋状に縫製された第１の外装体３５を有する。この第１の外装体３５は、比較的厚手で、耐摩耗性を有する布地によって縫製されている。
【００３８】
図３に示すように、上記第１の外装体３５の上面全体には、たとえば朱子織りの生地や合成樹脂シートなどのように滑沢性を有する材料によって形成された上面滑沢性シート３６ａが設けられ、下面の上記背床部９に対応する部分には、上面と同じように滑沢性を有する下面滑沢性シート３６ｂが設けられている。
【００３９】
上記上面滑沢性シート３６ａと上記下面滑沢性シート３６ｂは、上記第１の外装体３５の上面と下面に対して縫合或いは接着などの手段によって設けられる。この実施の形態では縫合して設けられている。上記各滑沢性シート３６ａ，３６ｂを縫合によって設ける場合、周縁部だけを上記第１の外装体３５に対して縫合してもよいが、各滑沢性シート３６ａ，３６ｂが第１の外装体３５から浮き上がらないようにするため、周縁部以外の部分も縫合するようにしたほうがよい。
【００４０】
上記上面滑沢性シート３６ａは上記第１の外装体３５の上面の長手方向中途部からヘッドボード５ａ側の端面にわたる長手方向の約半分の部分、つまりマットレス装置３１の上面に仰臥する利用者の上半身に対応する部分だけに設けるようにしてもよく、上記下面滑沢性シート３６ｂは設けなくともよい。
【００４１】
なお、上記第１の外装体３５の上面や下面に上記滑沢性シート３６ａ，３６ｂを設けることで、滑沢性を持たせるようにした。しかしながら、上記第１の外装体３５を比較的厚手で、耐摩耗性を有する布地によって形成するようにすれば、上記外装体３５の上面や下面に上記滑沢性シート３６ａ，３６ｂを設けなくとも、ある程度の滑沢性を持たせることができる。
【００４２】
また、第１の外装体３５に滑沢性を持たせるには、上記滑沢性シート３６ａ，３６ｂに代わり、外装体自体を滑沢性を有する布地で形成したり、布地に樹脂を含浸させるなどして滑沢性を持たせるようにしてもよい。
【００４３】
図４に示すように、上記第１の外装体３５の内部には第１の内装体３８が収容されている。この第１の内装体３８は厚さ方向に分断された下部層状部材３８ａと上部層状部材３８ｂからなる。各層状部材３８ａ，３８ｂはウレタンフォームや発泡ポリエステルなどの発泡合成樹脂によって板状に成形されている。
【００４４】
上記第１の外装体３５のフットボード５ｂ側に位置する端面及びこの端面に隣接する側面は図３に示すファスナ３９によって開閉されるようになっていて、このファスナ３９によって上記端面及び側面を開放して上記第１の内装体３８が出し入れされるようになっている。
【００４５】
上記第１の内装体３８の下部層状部材３８ａと上部層状部材３８ｂは、上記下部マットレス３２が湾曲させられたときに互いに滑動するよう構成されている。たとえば、上記下部層状部材３８ａと上部層状部材３８ｂとの間に滑沢性のシートを介在させたり、上記下部層状部材３８ａと上部層状部材３８ｂを、それぞれ滑沢性のシートで形成された内装袋に収容するようにするなどすればよい。
【００４６】
そうすることによって、上記下部マットレス３２が後述するように湾曲させられたときに、内部に積層されて収容された上記下部層状部材３８ａと上部層状部材３８ｂが互いに滑り易いため、上記下部マットレス３２が円滑に湾曲されることになる。
【００４７】
その場合、上記第１の外装体３５を滑沢性とともに、伸縮性を有する布地で形成すれば、上記下部層状部材３８ａと上部層状部材３８ｂとの滑動を円滑に行なわせることができる。
【００４８】
なお、上記下部マットレス３２の第１の内装体３８の下部層状部材３８ａと上部層状部材３８ｂとの２層構造としたが、３層或いはそれ以上の層状構造であってもよい。
【００４９】
図５に示すように、上記下部マットレス３２の上面に載置される上記上部マットレス３３は、上記床板体６の平面形状とほぼ同じ大きさの平面形状を有する矩形の袋状に縫製された第２の外装体４２を有する。この第２の外装体４２は、比較的厚手で、耐摩耗性を有する布地によって縫製されている。
【００５０】
図６に示すように、上記第２の外装体４２の下面全体には、たとえば朱子織りの生地や合成樹脂シートなどのように滑沢性を有する材料によって形成された下面滑沢性シート４３が設けられている。
【００５１】
なお、上記下面滑沢性シート４３は上記第２の外装体４２の下面全体でなく、下面の長手方向中途部からヘッドボード５ａ側の端面にわたる長手方向の約半分の部分、つまりマットレス装置３１の上面に仰臥する利用者の上半身に対応する部分だけに設けるようにしてもよい。
【００５２】
上記下面滑沢性シート４３は上記第２の外装体４２に対して縫合或いは接着などの手段によって設けられる。縫合によって設ける場合、周縁部及びそれ以外の部分を上記第２の外装体４２に縫合することが好ましい。
【００５３】
なお、上記第２の外装体４２を、滑沢性を有する布地で形成すれば、上記下面滑沢性シート４３を設けなくともよい。さらに、上記第２の外装体４２を伸縮性を有する布地で形成するようにしてもよい。
【００５４】
図７に示すように、上記第２の外装体４２の内部には第２の内装体４４が収容されている。この第２の内装体４４はウレタンフォームなどの発泡合成樹脂によって成形された板状をなしている。
【００５５】
図８乃至図１０に示すように、上記第２の内装体４４は、比較的軟質な発泡合成樹脂によって上記上部マットレス３３の全体の幅寸法よりも小さな幅寸法の矩形状に成形された軟質部４４ａと、この軟質部４４ａよりも硬質な発泡合成樹脂によって所定の幅寸法の帯状に成形されて、上記軟質部４４ａの幅方向両側に設けられる一対の硬質部４４ｂによって形成されている。
【００５６】
上記軟質部４４ａと硬質部４４ｂとは、これらの上面に貼着された柔軟性を有する第１の粘着シート４５によって連結されている。上記軟質部４４ａと硬質部４４ｂとの長手方向の中央部分は複数の帯状部４４ｃに分断されている。
【００５７】
複数の帯状部４４ｃの上面には、これら帯状部４４ｃの上面と、上記軟質部４４ａと硬質部４４ｂとの帯状部４４ｃに形成されていない部分の上面とを一体的に連結する第２の粘着シート４６が貼着されている。
【００５８】
それによって、上記上部マットレス３３を後述するように上面側に湾曲させると、上記第２の粘着シート４６を屈曲させながら、上記第２の内装体４４の軟質部４４ａと硬質部４４ｂとに形成された帯状部４４ｃの下面側が拡開するから、上記上部マットレス３３を円滑に湾曲させることができる。
【００５９】
上記下部マットレス３２の上面の長手方向中途部である、長手方向中央部には幅方向に沿って第１の面状ファスナ４８が設けられ、上記上部マットレス３３の下面の長手方向中途部である、長手方向中央部には幅方向に沿って第２の面状ファスナ４９が設けられている。
【００６０】
上記下部マットレス３２の上面に上記上部マットレス３３を重合載置することで、上記第１の面状ファスナ４８と第２の面状ファスナ４９が係着し、これら一対のマットレス３２，３３の長手方向中央部だけが連結される。上記第１の面状ファスナ４８と第２の面状ファスナ４９は連結手段を構成している。
【００６１】
上記連結手段としては、上記第１、第２の面状ファスナ４８，４９に代わり、フォックなどの他のものを用いるようにしてもよく、要は上記下部マットレス３２と上記上部マットレス３３との長手方向中央部を着脱可能に連結できるものであればよい。
【００６２】
上記構成の起床式ベッド装置１において、図１に示すように利用者Ｕは頭部をマットレス装置３１の上部マットレス３３の長手方向一端部側に位置させ、足部を他端部側に位置させて仰臥する。
【００６３】
上記マットレス装置３１上に仰臥した利用者Ｕの上半身を起こす場合、駆動モータ１５を作動させて背床部９を起上させる。それによって、背床部９の起上に腰床部８が連動するから、図１に示すように利用者Ｕは上半身が起こされることになる。
【００６４】
上記背床部９と腰床部８が起上すると、その起上によってマットレス装置３１のヘッドボード５ａ側に位置する長手方向の一端部側が湾曲する。マットレス装置３１は床板体６上に順次載置された下部マットレス３２と上部マットレス３３によって形成されている。
【００６５】
上記マットレス装置３１が湾曲する際、下側に位置する下部マットレス３２に比べて上側に位置する上部マットレス３３の方が湾曲の度合が大きいから、上記上部マットレス３３が下部マットレス３２に対して滑りながら湾曲することになる。
【００６６】
上記下部マットレス３２と上部マットレス３３は別体に形成されている。つまり、下部マットレス３２は第１の外装体３５に第１の内装体３８を収容して形成され、上部マットレス３３は第２の外装体４２に第２の内装体４４を収容して形成されている。
【００６７】
しかも、上記下部マットレス３２と上記上部マットレス３３との第１、第２の面状ファスナ４８，４９によって連結された中途部よりも長手方向の一端部側は、上記背床部９と腰床部８との起上によって上記下部マットレス３２の上面に設けられた上面滑沢性シート３６ａと、上記上部マットレス３３の下面に設けられた下面滑沢性シート４３が滑動しながら湾曲する。
【００６８】
そのため、上記下部マットレス３２の第１の外装体３５の上面に対し、上記上部マットレス３３の第２の外装体４２の下面が円滑に滑動しながら、これらマットレス３２，３３を湾曲させることができる。
【００６９】
つまり、上記下部マットレス３２と上記上部マットレス３３とが湾曲するとき、これらマットレス３２，３３に湾曲度合の違いがあっても、接触する上記上面滑沢性シート３６ａと下面滑沢性シート４３との滑動によって各マットレス３２，３３が円滑に湾曲することになる。
【００７０】
上記下部マットレス３２と、この上面に設けられた上記上部マットレス３３とは長手方向の中途部が互いに係着した第１、第２の面状ファスナ４８，４９によって連結されている。
【００７１】
そのため、これらマットレス３２，３３を湾曲させたとき、上記上部マットレス３３は、第１、第２の面状ファスナ４８，４９によって連結された部分、つまり連結部を基端として上記下部マットレス３２に連結された長手方向の中途部よりも一端部側の部分が図１に矢印Ｓで示すように上記下部マットレス３２に対して上方へ滑動する。
【００７２】
それによって、利用者は背面が矢印Ｓで示す上記上部マットレス３３がスライドする方向に引き上げられることになるから、利用者は背面や腹部が圧迫されることなく、上半身を起こすことができる。
【００７３】
上記下部マットレス３２の下面の、上記背床部９に対応する部分には下面滑沢性シート３６ｂが設けられている。そのため、上記背床部９が上記下部マットレス３２の一端部を押し上げて湾曲させる際、上記背床部９が上記下部マットレス３２の下面を滑動しながら押し上げるから、そのことによっても、上記下部マットレス３２を円滑に湾曲させることが可能となる。
【００７４】
さらに、上記下部マットレス３２の第１の内装体３８を下部層状部材３８ａと上部層状部材３８ｂとに分割し、これらの層状部材３８ａ，３８ｂが滑動し易いように構成したから、そのことによっても下部マットレス３２は円滑に湾曲させられることになる。
【００７５】
そのため、上述したようにマットレス装置３１の下部マットレス３２と上部マットレス３３とに、湾曲度合の違いがあっても、これらマットレス３２，３３を滑動させながら円滑に湾曲させることができるから、上部マットレス３３の上面に圧縮力が蓄積され難くなるため、利用者に与える不快感を低減させることができる。
【００７６】
上記下部マットレス３２と上部マットレス３３との長手方向の中央部は第１、第２の面状ファスナ４８，４９によって連結されている。そのため、床板体６の背床部９を起上させて各マットレス３２，３３を屈曲させるという操作を繰り返しても、上記上部マットレス３３が上記下部マットレス３２に対し、定められた位置から大きくずれ動き過ぎて使い勝手が悪くなるのを防止できる。
【００７７】
上記上部マットレス３３の第２の内装体４４は、軟質部４４ａの幅方向両側に硬質部４４ｂを設けて形成されているため、上記上部マットレス３３の幅方向両端部は上記硬質部４４ｂによって補強される。
【００７８】
そのため、利用者Ｕがマットレス装置３１の端部に腰掛けた場合、その端部が極端に変形するが防止されるから、安定性が向上するということがあるばかりか、上部マットレス３３の外観形状が維持されるため、体裁がよいなどのことがある。
【００７９】
さらに、上記第２の内装体４４の長手方向中央部は上面が第２の粘着シート４６によって貼着された複数の帯状部４４ｃに分割されている。そのため、上記上部マットレス３３が湾曲するとき、複数の帯状部４４ｃは上面の上記第２の粘着シート４６を屈曲させながら下端側が開くため、上記上部マットレス３３が湾曲し易いということがある。
【００８０】
上記床板体６の背床部９を起上させながら、上記第１、第２の脚床部１１，１２をへの字状に屈曲させることで、上半身が起こされた利用者Ｕの身体が前方へずれ動き難いようにすることがある。
【００８１】
上記第１、第２の脚床部１１，１２をへの字状に屈曲すると、その屈曲に応じてマットレス装置３１の下部マットレス３２と上部マットレス３３の上記第１、第２の脚床部１１，１２に対応するフットボード５ｂ側に位置する長手方向の他端側がへの字状に湾曲する。
【００８２】
つまり、下側に位置する下部マットレス３２の方が上側にある上部マットレス３３よりも湾曲度合が大きくなるから、上記下部マットレス３２の他端側は上部マットレス３３に対して滑動しながら湾曲することになる。
【００８３】
その場合、上記上部マットレス３３の第２の外装体４２の下面に対し、上記下部マットレス３２の第１の外装体３５の上面が滑動する。しかも、第２の外装体４２の下面と第１の外装体３５の上面にはそれぞれ下面滑沢性シート４３と上面滑沢性シート３６ａが設けられているから、それによっても上記上部マットレス３３に対して下部マットレス３２が円滑に滑動する。
【００８４】
したがって、マットレス装置３１のフットボード５ｂ側の他端部を屈曲させる場合にも、円滑に湾曲させることができる。
【００８５】
なお、上記第１の実施の形態では上部マットレスの第２の内装体の長手方向の中央部を複数の帯状部に分割し、上面を第２の粘着シートで貼着して連結したが、それに代わって第２の内装体の長手方向の中央部に、下面に開放する複数のスリットを形成し、上部マットレスを湾曲させたときに上記スリットが開くようにすることで、上部マットレスを湾曲し易くしてもよい。
【００８６】
上記第１の実施の形態では、マットレス装置３１の下部マットレス３２と上部マットレス３３の長手方向の中途部を連結手段によって連結するようにした。
【００８７】
それに代わって、図１１と図１２に示すこの発明の第２の実施の形態では、上記マットレス装置３１の上記下部マットレス３２と上記上部マットレス３３の長手方向の他端部、つまりマットレス装置３１上に仰臥した利用者の足部側に対応する端部を連結手段によって連結するようにしている。
【００８８】
具体的には、上記下部マットレス３２の他端部の上端縁と、上記上部マットレス３３の他端部の下端縁のそれぞれに、着脱可能に係着して上記連結手段を構成する下部ファスナ５１ａと、上部ファスナ５１ｂをそれぞれコ字状に設ける。そして、これらファスナ５１ａ，５１ｂを係着することで、上記下部マットレス３２と上記上部マットレス３３の長手方向の他端部を連結するようにしている。
【００８９】
このような構成によれば、上記マットレス装置３１を起床式ベッド装置１の床板体６上に載置し、この床板体６の背床部９を起上させて利用者Ｕの上半身を起こすと、上記下部マットレス３２と上記上部マットレス３３は図１１に示す平坦な状態から、図１２に示すように湾曲する。
【００９０】
このとき、上記上部マットレス３３は、上記下部マットレス３２に対して上記下部ファスナ５１ａが上記上部ファスナ５１ｂに係着された長手方向の他端部、つまり連結部を基端にして滑動する。
【００９１】
上記上部マットレス３３が長手方向の他端部を基端にして上記下部マットレス３２上で滑動すれば、長手方向の中途部を基端にして一端部が滑動するようにした第１の実施の形態に比べ、上記上部マットレス３３の一端部が上記下部マットレス３２に対して滑動する長さを長くすることができる。
【００９２】
つまり、上記上部マットレス３３が起上方向に湾曲されるとき、その一端部が図１２に矢印Ｓで示すように上記下部マットレス３２に対して上方へ滑動するから、その滑動する長さＬを第１の実施の形態に比べて長くすることができる。
【００９３】
それによって、利用者は背面が矢印Ｓで示す上記上部マットレス３３が滑動する方向に引き伸ばされることになり、しかもその引き伸ばされる長さＬを大きくできるから、利用者は背面や腹部がより一層、圧迫される難くい状態で上半身を起こすことができるという利点がある。
【００９４】
上記第１の実施の形態では、連結手段によって下部マットレス３２と上部マットレス３３の長手方向中途部を連結し、上記第２の実施の形態では利用者の側に対応する長手方向の端部（他端部）を連結するようにしたが、連結手段による下部マットレス３２と上部マットレス３３の連結は、長手方向中途部から長手方向の端部（他端部）の範囲のうちの全部であってもよく、或いは一部であってもよい。
【００９５】
つまり、長手方向中途部から長手方向の端部の範囲のうちの少なくとも一部が連結されていれば、その連結部を基端として上部マットレス３３を下部マットレス３２に対し、利用者に与える圧迫感が少なくなるよう滑動させることができる。
【００９６】
上記第１、第２の実施の形態ではマットレス装置３１を下部マットレス３２と上部マットレス３３の二層構造としたが、三層構造或いはそれ以上の複数層構造であってもよい。
【００９７】
図１３はこの発明の第３の実施の形態を示す。この実施の形態ではマットレス装置３１が下部マットレス３２と、中間マットレス５５と、上部マットレス３３の三層構造となっている。
【００９８】
これらマットレス３２，５５，３３の長手方向の端部（他端部）には、第２の実施の形態と同様、それぞれ下部ファスナ５１ａ、中間ファスナ５５ａ及び上部ファスナ５１ｂがコ字状に設けられている。なお、中間マットレス５５にはその他端部の下端縁と上端縁との両方に上記中間ファスナ５５ａが設けられている。
【００９９】
そして、３つのマットレス３２，５５，３３は各ファスナ５１ａ，５５ａ，５１ｂを係着させることで、長手方向の他端部が連結されている。
【０１００】
このように、マットレス装置３１を３つのマットレス３２，５５，３３によって構成すれば、湾曲させたときに下部マットレス３２に対して中間マットレス５５と上部マットレス３３が順次滑動するため、第１、第２の実施の形態と同様、利用者に与える圧迫感を低減させることができる。
【０１０１】
なお、この第３の実施の形態において、３つのマットレスを連結する連結手段は第１の実施の形態に示された面状ファスナを用いるようにしてもよく、連結位置は長手方向の中途部から他端部の間の少なくとも一部であればよい。
【０１０２】
上記第１の実施の形態では下部マットレス３２と上部マットレス３３をそれぞれ外装体３５，４２内に発泡合成樹脂からなる内装体３８，４４を収容して形成した。それに代わって、図示はしないが、上記下部マットレス３２の内装体３８をコイルスプリングや連続スプリングを行列状に並設してヘリカル線で連結するとともに、周縁部に枠線を設けたスプリングユニットとする。
【０１０３】
なお、上記下部マットレス３２の内装体３８としての上記スプリングユニットは、図１に示す上記下部マットレス３２が起床式ベッド装置１の背床部９の起伏、及び第１、第２の脚床部１１，１２の起伏によって上記スプリングユニットが湾曲できるよう、上記枠線が部分的に分断された構成とする。
【０１０４】
上記上部マットレス３３の内装体４４は、同じく図示しないが、発泡弾性材料によって矩形枠状に形成された枠体、この枠体内にエラストマーなどの軟質な弾性材料によって形成された複数のブロックを並設し、上記枠体の上下面にそれぞれ発泡弾性材によってシート状に形成された弾性層を重合したものとする。
【０１０５】
上記ブロックは、矩形枠状に形成された外側隔壁と、この外側隔壁内に格子状に設けられた内側隔壁とによって構成されている。
【０１０６】
なお、上記下部マットレス３２と上部マットレス３３は、上記第１の実施の形態と同様、長手方向の中途部が連結手段によって連結されている。
【０１０７】
このように、上記下部マットレス３２の内装体３８をスプリングユニットによって構成し、上記上部マットレス３３の内装体４４を枠体及びエラストマーなどの弾性材料によって上記枠体内に並設された複数のブロックによって形成すれば、上記上部マットレス３３は比較的軟質であるものの、スプリングユニットによって構成された上記下部マットレス３２は上記上部マットレス３３に比べて硬質な構成とすることができる。
【０１０８】
そのため、上記下部マットレス３２と上記上部マットレス３３を湾曲させて利用者の上半身を起こす場合、上記下部マットレス３２が上記上部マットレス３３に比べて硬質であるため、上記上部マットレス３３が上記下部マットレス３２の上面で滑動しやすいから、上記下部マットレス３２と上部マットレス３３を円滑に湾曲させることができる。
【０１０９】
上述したように、上記内装体としてのスプリングユニットや枠体及びこの枠体内に収容されたエラストマーによって形成されたブロックからなるものは、上記第２、第３の実施の形態に示されたマットレスにも適用することができる。
【０１１０】
また、スプリングユニットから内装体を用いた下部マットレス３２に、第１、第２の実施の形態に示された内装体を有する上部マットレス３３を設けて使用してもよい。
【符号の説明】
【０１１１】
４…ベッドフレーム、６…床板体、９…背床部、１３…駆動装置、３１…マットレス装置、３２…下部マットレス、３３…上部マットレス、３６ａ…上面滑沢性シート、３８…第１の内装体、３８ａ…下部層状部材、３８ｂ…上部層状部材、４２…第２の外装体、４３…下面滑沢性シート、４４…第２の内装体、４８…第１の面状ファスナ、４９…第２の面状ファスナ。
【図１】
2014097281.tif 000003
【図２】
2014097281.tif 000004
【図３】
2014097281.tif 000005
【図４】
2014097281.tif 000006
【図５】
2014097281.tif 000007
【図６】
2014097281.tif 000008
【図７】
2014097281.tif 000009
【図８】
2014097281.tif 000010
【図９】
2014097281.tif 000011
【図１０】
2014097281.tif 000012
【図１１】
2014097281.tif 000013
【図１２】
2014097281.tif 000014
【図１３】
2014097281.tif 000015